(57)【要約】【課題】より簡素な構成で、容易に外装板の組み付けができるようにする。【解決手段】貯湯タンク１、２および断熱材１０を覆う外装板２０〜７０と、を備える。断熱材１０は、表面より窪んだ凹部１４ａ、１４ｂを有し、側面板４０、５０は、本体面４０ｃ、５０ｃから断熱材１０側に突出して凹部１４ａ、１４ｂに引っ掛かる引掛部４０ａ、５０ａを有する。断熱材１０の凹部１４ａ、１４ｂに、側面板４０、５０に形成された引掛部４０ａ、５０ａを引っ掛けた状態で側面板４０、５０を組み付ける。【選択図】図１
2017146073.tif 000002
【特許請求の範囲】
【請求項１】
湯水を貯える貯湯タンク（１、２）と、
前記貯湯タンクを覆う断熱材（１０）と、
前記断熱材を覆う外装板（２０〜７０）と、を備えた貯湯タンクユニットであって、
前記外装板は、前記貯湯タンクの側方に配置される側面板（４０、５０）を有し、
前記断熱材は、表面より窪んだ凹部（１４ａ、１４ｂ）を有し、
前記側面板は、板状の本体面（４０ｃ、５０ｃ）と、該本体面から前記断熱材側に突出して前記凹部に引っ掛かる引掛部（４０ａ、５０ａ）と、を有している貯湯タンクユニット。
【請求項２】
前記断熱材は、前記貯湯タンクの頂部を覆うように配置された頂部断熱材（１４）を有し、
前記凹部は、前記頂部断熱材の上面に形成され、
前記引掛部は、前記側面板における上端に形成されている請求項１に記載の貯湯タンクユニット。
【請求項３】
前記頂部断熱材の上面には、平面状の平面部（１４０）が設けられており、
前記凹部は、前記平面部に形成されている請求項２に記載の貯湯タンクユニット。  
【請求項４】
前記凹部は、溝状を成しており、
前記引掛部は、断面Ｌ字形状を成している請求項２または３に記載の貯湯タンクユニット。  
【請求項５】
前記引掛部は、前記側面板における上端を変形させることにより構成されている請求項２ないし４のいずれか１つに記載の貯湯タンクユニット。
【発明の詳細な説明】
【技術分野】
【０００１】
本発明は、貯湯タンクおよび断熱材を覆う外装板を備えた貯湯タンクユニットに関するものである。
【背景技術】
【０００２】
従来の貯湯タンクユニットにおける貯湯タンクは、貯湯タンクの右側に配置される胴部右側面成型断熱材、貯湯タンクの左側に配置される胴部左側面成型断熱材および貯湯タンクの天部に配置される天部成型断熱材で覆われている。
【０００３】
さらに、その周囲は、底板、背面板、右側面板、左側面板、天板および前面板により構成される外装板で覆われている。これらの外装板は、底板、背面板、左右側面板を先に組み付け、その後、天板および前面板を組み付けるのが一般的である。
【０００４】
このような貯湯タンクユニットとして、外装板を固定するブラケットを備え、ブラケットが外装板を固定すると同時に断熱材を固定するよう構成されたものがある（例えば、特許文献１参照）。この給湯機は、外装板固定用のブラケットにより外装板と貯湯タンクとを効率よく固定することが可能となっている。
【先行技術文献】
【特許文献】
【０００５】
【特許文献１】特開２００８−３２２４０号公報
【発明の概要】
【発明が解決しようとする課題】
【０００６】
上記したような貯湯タンクユニットにおいては、大きな外装板が用いられる。特に、２台の貯湯タンクが並んで格納される狭隘地設置向けの薄型貯湯タンクユニットにおいては、右側面板および左側面板のサイズが非常に大きくなる。
【０００７】
このため、貯湯タンクユニットにおける外装板を組み付ける際には、側面板が倒れないように一人の補助作業者が外装板を押さえながら、別の作業者が外装板をネジ固定する必要があった。あるいは、側面板が倒れないように外装板を支持部材で押さえた状態で作業者が外装板をビスで固定する必要があった。また、コストダウンや軽量化のために側面板を薄肉化した場合には、サイズの大きな側面板は撓み易くなるため、さらに作業性が低下するという問題もある。
【０００８】
なお、上記特許文献１に記載された貯湯タンクユニットは、外装板を固定する外装板固定用のブラケットを備えているので、構成が複雑であるといった問題がある。
【０００９】
本発明は上記問題に鑑みたもので、より簡素な構成で、容易に外装板の組み付けができるようにすることを目的とする。
【課題を解決するための手段】
【００１０】
上記目的を達成するため、請求項１に記載の発明は、湯水を貯える貯湯タンク（１、２）と、貯湯タンクを覆う断熱材（１０）と、断熱材を覆う外装板（２０〜７０）と、を備えた貯湯タンクユニットであって、外装板は、貯湯タンクの側方に配置される側面板（４０、５０）を有し、断熱材は、表面より窪んだ凹部（１４ａ、１４ｂ）を有し、側面板は、板状の本体面（４０ｃ、５０ｃ）と、該本体面から断熱材側に突出して凹部に引っ掛かる引掛部（４０ａ、５０ａ）と、を有している。
【００１１】
このような構成によれば、作業者は断熱材の凹部に、側面板に形成された引掛部を引っ掛けた状態で側面板を組み付けることができるので、より簡素な構成で、容易に外装板の組み付けを行うことができる。
【００１２】
なお、この欄および特許請求の範囲で記載した各手段の括弧内の符号は、後述する実施形態に記載の具体的手段との対応関係を示すものである。
【図面の簡単な説明】
【００１３】
【図１】本発明の一実施形態に係る貯湯タンクユニットの分解斜視図である。
【図２】断熱材で覆われた貯湯タンクの分解斜視図である。
【図３】右側面板と天部成型断熱材の結合部を拡大した斜視図である。
【発明を実施するための形態】
【００１４】
本発明の一実施形態に係る貯湯タンクユニットについて図１〜図３を用いて説明する。図１は、貯湯タンクユニットの分解斜視図である。図２は、断熱材１０で覆われた第１、第２貯湯タンク１、２の分解斜視図である。なお、図１、図２において、簡略化のため、本来取り付けられている配管や機能部品は省略してある。図１、図２中の矢印ＤＲ１は、貯湯タンクユニット左右方向を表し、矢印ＤＲ２は、貯湯タンクユニット前後方向を表している。
【００１５】
貯湯タンクユニットは、第１貯湯タンク１と、第１貯湯タンク２と、第１、第２貯湯タンク１、２を覆う断熱材１０と、底板２０と、背面板３０と、右側面板４０と、左側面板５０と、天板６０と、前面板７０と、を備えている。
【００１６】
第１、第２貯湯タンク１、２は、それぞれヒートポンプサイクル等の加熱器によって加熱された給湯水を貯湯するものである。第１、第２貯湯タンク１、２は、それぞれ耐食性に優れた金属（例えば、ステンレス）にて中空円柱状に形成され、軸方向が略鉛直方向に延びる縦長形状に形成されている。第１貯湯タンク１は、円筒状の本体を支持する複数本の足部（図示せず）を有し、第２貯湯タンク２は、円筒状の本体を支持する複数本の足部２ａを有している。
【００１７】
断熱材１０は、胴部右側面成型断熱材１１、胴部左側面成型断熱材１２および天部成型断熱材１４を有している。断熱材１０は、発泡スチロールにより構成されている。
【００１８】
胴部右側面成型断熱材１１は、第１、第２貯湯タンク１、２の右側に配置され、第１、第２貯湯タンク１、２の上部を除く右側半分を断熱する。胴部左側面成型断熱材１２は、第１、第２貯湯タンク１、２の左側に配置され、第１、第２貯湯タンク１、２の左側半分を断熱する。天部成型断熱材１４は、第１、第２貯湯タンク１、２の上部に配置され、第１、第２貯湯タンク１、２の上部を断熱する。
【００１９】
第１、第２貯湯タンク１、２を覆うように胴部右側面成型断熱材１１、胴部左側面成型断熱材１２および天部成型断熱材１４を互いに組み付けることにより第１、第２貯湯タンク１、２の外周全体が断熱される。
【００２０】
断熱材１０を覆う外装板は、底板２０、背面板３０、右側面板４０、左側面板５０、天板６０および前面板７０を有している。外装板は、鉄板により構成されている。
【００２１】
第１、第２貯湯タンク１、２は、底板２０の上面に配置される。背面板３０は、第１、第２貯湯タンク１、２の後方に配置され、右側面板４０は、第１、第２貯湯タンク１、２の右側方に配置され、左側面板５０は、第１、第２貯湯タンク１、２の左側方に配置される。天板６０は、第１、第２貯湯タンク１、２の上方に配置され、前面板７０は、第１、第２貯湯タンク１、２の前側方に配置される。
【００２２】
背面板３０、右側面板４０、左側面板５０および前面板７０の高さは、２メートル程度となっている。本実施形態の貯湯タンクユニットは、第１、第２貯湯タンク１、２が前後方向に並んで配置されているため、特に、右側面板４０および左側面板５０は大型となっており重量が重くなっている。
【００２３】
図３に示すように、右側面板４０は、板状の本体面４０ｃと、本体面４０ｃから断熱材１０側に突出して後述する被引掛部１４ａに引っ掛かる引掛部４０ａを有している。引掛部４０ａは、本体面４０ｃから断熱材１０側に延びる第１面４０１と、この第１面４０１から下方向に延びる第２面４０２を有し、断面Ｌ字形状を成している。引掛部４０ａは、本体面４０ｃの上端に形成されている。具体的には、引掛部４０ａは、右側面板４０における上端を変形させることにより形成されている。
【００２４】
左側面板５０は、板状の本体面４０ｃと、本体面４０ｃから断熱材１０側に突出して後述する被引掛部１４ａに引っ掛かる引掛部５０ａを有している。引掛部５０ａは、本体面５０ｃから断熱材１０側に延びる第１面と、この第１面から下方向に延びる第２面を有し、断面Ｌ字形状を成している。引掛部５０ａは、本体面５０ｃの上端に形成されている。具体的には、引掛部５０ａは、左側面板５０における上端を変形させることにより形成されている。
【００２５】
天部成型断熱材１４は、第１、第２貯湯タンク１、２の頂部を覆うように配置された頂部断熱材である。天部成型断熱材１４の上面には、右側面板４０に形成された引掛部４０ａが引っ掛かる被引掛部１４ａと、右側面板４０に形成された引掛部４０ａが引っ掛かる被引掛部１４ｂが形成されている。被引掛部１４ａおよび被引掛部１４ｂは、それぞれ溝状を成している。被引掛部１４ａ、１４ｂは、天部成型断熱材１４の上面の表面より窪んだ凹部に相当する。
【００２６】
天部成型断熱材１４の被引掛部１４ａに右側面板４０に形成された引掛部４０ａが引っ掛けられた状態で右側面板４０が天部成型断熱材１４に組み付けられている。
【００２７】
また、天部成型断熱材１４の被引掛部１４ｂに左側面板５０に形成された引掛部５０ａが引っ掛けられた状態で左側面板５０が天部成型断熱材１４に組み付けられている。
【００２８】
本実施形態の貯湯タンクユニットの組み付け例について説明する。まず、底板２０に第１、第２貯湯タンク１、２を固定する。具体的には、不図示のビスを用いて第１、第２貯湯タンク１、２の足部を底板２０に固定する。
【００２９】
次に、第１、第２貯湯タンク１、２を覆うように胴部右側面成型断熱材１１、胴部左側面成型断熱材１２および天部成型断熱材１４を互いに組み付けた後、不図示の配管や機能部品を貯湯タンクユニットに取り付ける。
【００３０】
次に、図３に示すように、右側面板４０を天部成型断熱材１４に仮固定する。具体的には、右側面板４０の上端に形成された引掛部４０ａを天部成型断熱材１４の上面に形成された被引掛部１４ａに引っ掛ける。このとき、引掛部４０ａの第２面４０２が被引掛部１４ａと嵌合し、引掛部４０ａの第１面４０１が天部成型断熱材１４と当接し、右側面板４０が天部成型断熱材１４に仮固定される。その後、不図示のビスを用いて背面板３０を右側面板４０に固定する。
【００３１】
次に、左側面板５０を天部成型断熱材１４に仮固定する。具体的には、左側面板５０の上端に形成された引掛部５０ａを天部成型断熱材１４の上面に形成された被引掛部１４ｂに引っ掛ける。このとき、引掛部５０ａの先端部に位置する第２面が被引掛部１４ａと嵌合し、右側面板４０が天部成型断熱材１４に仮固定される。その後、不図示のビスを用いて背面板３０を左側面板５０に固定する。
【００３２】
次に、天板６０を右側面板４０および左側面板５０に不図示のビスを用いて固定する。最後に、底板２０、右側面板４０、左側面板５０および天板６０に対し、前面板７０を不図示のビスを用いて固定して貯湯タンクユニットの組み付けが完了する。
【００３３】
上記した構成によれば、外装板２０〜７０は、第１、第２貯湯タンク１、２の側方に配置される右側面板４０、左側面板５０を有し、右側面板４０、左側面板５０は、断熱材１０側の面に引掛部４０ａ、５０ａを有し、断熱材１０は、側面板に形成された引掛部４０ａ、５０ａが引っ掛かる被引掛部１４ａ、１４ｂを有している。
【００３４】
このような構成によれば、作業者は断熱材１０の被引掛部１４ａ、１４ｂに、右側面板４０に形成された引掛部４０ａおよび左側面板５０に形成された引掛部５０ａを引っ掛けた状態で右側面板４０および左側面板５０を組み付けることができるので、例えば、特許文献１に記載された外装板固定用のブラケットを備えることなく、右側面板４０および左側面板５０が撓んで倒れることを防止することができ、より簡素な構成で、容易に外装板の組み付けを行うことができる。
【００３５】
また、断熱材１０は、第１、第２貯湯タンク１、２の頂部を覆うように配置された天部成型断熱材１４を有し、被引掛部１４ａ、１４ｂは、天部成型断熱材１４の上面に形成され、引掛部４０ａ、５０ａは、右側面板４０、左側面板５０における上端に形成されている。
【００３６】
これによれば、右側面板４０および左側面板５０の自重により第１、第２貯湯タンク１、２に断熱材１０を密着させることができるので、断熱材１０が浮いて第１、第２貯湯タンク１、２と断熱材１０の間に隙間ができ、この隙間から熱が漏れて断熱性能が低下するといったことを防止することができる。
【００３７】
また、天部成型断熱材１４の上面には、平面状の平面部１４０が設けられており、被引掛部１４ａ、１４ｂは、平面部１４０に形成されている。したがって、例えば、天部成型断熱材１４の上面が半球形状となっている場合と比較して、被引掛部１４ａ、１４ｂと引掛部４０ａ、５０ａの嵌合構造を簡素化することができる。
【００３８】
また、引掛部４０ａ、５０ａは、右側面板４０、左側面板５０における上端を変形させることにより構成されている。これによれば、新たな部材を用いて引掛部４０ａ、５０ａを構成する必要がないので低コスト化が可能である。
【００３９】
（他の実施形態）
（１）上記実施形態では、側面板４０、５０の断熱材側の面に引掛部４０ａ、５０ａを形成し、断熱材１０に引掛部４０ａ、５０ａが引っ掛かる被引掛部１４ａ、１４ｂを形成し、断熱材１０の被引掛部１４ａ、１４ｂに、側面板４０、５０に形成された引掛部４０ａ、５０ａを引っ掛けるよう構成した。これに対し、背面板３０および前面板７０の少なくとも一方の断熱材側の面に引掛部を形成し、断熱材１０に引掛部が引っ掛かる被引掛部を形成し、断熱材の被引掛部に、背面板３０および前面板７０の少なくとも一方に形成された引掛部を引っ掛けるように構成してもよい。
【００４０】
（２）上記実施形態では、側面板４０、５０の断熱材側の面に引掛部４０ａ、５０ａを形成し、断熱材１０に引掛部４０ａ、５０ａが引っ掛かる被引掛部１４ａ、１４ｂを形成し、断熱材１０の被引掛部１４ａ、１４ｂに、側面板４０、５０に形成された引掛部４０ａ、５０ａを引っ掛けるよう構成した。これに対し、側面板４０、５０の上部に側面板４０、５０の断熱材側の面に突出する突出部を引掛部として形成し、断熱材１０の上部側面に穴部を被引掛部として形成し、側面板４０、５０に形成された突出部を断熱材１０に形成された穴部に挿入して側面板を断熱材に引っ掛けるようにしてもよい。
【００４１】
（３）上記実施形態では、左右側面板４０、５０の上端に引掛部４０ａ、５０ａを形成したが、引掛部４０ａ、５０ａは左右側面板４０、５０の上端に形成されていなくてもよく、例えば、左右側面板４０、５０の上側半分の領域に形成してもよい。
【００４２】
（４）上記実施形態では、不図示のビスを用いて各外装板２０〜７０を固定したが、ビス以外の部材を用いて各外装板２０〜７０を固定してもよく、ビス等を用いることなく各外装板２０〜７０を組み付けるようにしてもよい。
【００４３】
（５）上記実施形態では、発泡スチロールにより断熱材１０を構成したが、発泡スチロール以外の部材を用いて断熱材１０を構成してもよい。
【００４４】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００４５】
（まとめ）
・上記実施形態の一部または全部で示された第１の観点によれば、貯湯タンクユニットは、湯水を貯える貯湯タンク（１、２）と、貯湯タンクを覆う断熱材（１０）と、断熱材を覆う外装板（２０〜７０）と、を備えている。外装板は、貯湯タンクの側方に配置される側面板（４０、５０）を有し、側面板は、断熱材側の面に引掛部（４０ａ、５０ａ）を有し、断熱材は、表面より窪んだ凹部（１４ａ、１４ｂ）を有し、側面板は、板状の本体面（４０ｃ、５０ｃ）と、該本体面から断熱材側に突出して凹部に引っ掛かる引掛部（４０ａ、５０ａ）と、を有している。
【００４６】
・上記実施形態の一部または全部で示された第２の観点によれば、断熱材は、貯湯タンクの頂部を覆うように配置された頂部断熱材（１４）を有し、凹部は、頂部断熱材の上面に形成され、引掛部は、側面板における上端に形成されている。これによれば、側面板の自重により貯湯タンクに断熱材を密着させることができるので、断熱材が浮いて貯湯タンクと断熱材の間に隙間ができ、この隙間から熱が漏れて断熱性能が低下するといったことを防止することができる。
【００４７】
・上記実施形態の一部または全部で示された第３の観点によれば、頂部断熱材の上面には平面状の平面部が設けられており、被掛止部は、平面部に形成されている。したがって、例えば、頂部断熱材の上面が半球形状となっている場合と比較して、凹部と引掛部の嵌合構造を簡素化することができる。
【００４８】
・上記実施形態の一部または全部で示された第４の観点によれば、凹部は、溝状を成しており、引掛部は、断面Ｌ字形状を成している。
【００４９】
・上記実施形態の一部または全部で示された第５の観点によれば、引掛部は、側面板における上端を変形させることにより構成されている。これによれば、新たな部材を用いて引掛部を構成する必要がないので低コスト化が可能である。
【符号の説明】
【００５０】
１              第１貯湯タンク
２              第２貯湯タンク
１０            断熱材
１１            胴部右側面成型断熱材
１２            胴部左側面成型断熱材
１４            天部成型断熱材
１４ａ、１４ｂ  被引掛部
２０            底板
４０            右側面板
４０ａ          引掛部
５０            左側面板
５０ａ          引掛部
【図１】
2017146073.tif 000003
【図２】
2017146073.tif 000004
【図３】
2017146073.tif 000005